(57)【特許請求の範囲】
【請求項１】
前後方向に長い円形筒状をなしており、後端部近傍が拡径された外ケースを備える携帯型ヘアードライヤであって、前記携帯型ヘアードライヤは、前記外ケース内の前端側から順に混合・着火部、送風部、点火部及び電池収納部を備えており、前記点火部の後方には前記外ケースの後部カバーが設けられ、前記後部カバーには吸気口とガスボンベを挿着するための開口部が隣接して形成されていることを特徴とする携帯型ヘアードライヤ。
【請求項２】
前記吸気口は、複数の孔からなり、前記後部カバー上に前記開口部の開口縁に沿って三日月状に形成されていることを特徴とする請求項１に記載の携帯型ヘアードライヤ。
【請求項３】
前記吸気口は、複数の孔からなり、前記後部カバー上に前記開口部の開口縁に沿って二つの対向する三日月状に形成されていることを特徴とする請求項１に記載の携帯型ヘアードライヤ。
【発明の詳細な説明】
【技術分野】
【０００１】
この発明は、コードレスの携帯型ヘアードライヤに係り、詳しくは熱源としてガスを使用する、デザイン性に優れかつ持運びが容易な携帯型ヘアードライヤに関する。
【背景技術】
【０００２】
ヘアードライヤの熱源として、電気ヒータに代えて、ボンベに充填したブタンガス等の液化石油ガスのガス燃焼を利用したヘアードライヤが開発され、既に市販されている。ガス燃焼を利用したヘアードライヤは、電気ヒータを用いたものに比べて、外部電源への接続が不要となり、したがってコードレスとなることから電源が入手できないところでも使用できるため、使用場所が制限されないことから広く使用されるようになってきている。
【０００３】
図６は、下記特許文献１に記載された携帯用ヘアードライヤの構成を示す断面図である。
【０００４】
このヘアードライヤ１０１の本体１０２のハウジングは、耐熱性の成型品により構成されたＬ字型をしている。本体１０２のハンドル内部には、燃料ガスを収納するガスボンベ１０３と蓄電池１２８と回転制御及び充電用電気回路１２９とガスボンベ１０３からの燃料ガス供給量を制御する制御部１１２が収納されている。本体１０２の温風発生部には、ガスボンベ１０３からのガス供給路の出口に位置するノズル１０４と、ノズル１０４の後方から温風吹き出し口１０５に向けて空気を供給する送風部１０６と、この送風部１０６によって送風される空気と燃料ガスをあらかじめ混合して混合気体を作る予混合部１０７と、この予混合部１０７によって混合された混合気体を所定の温度まで加熱する予熱部１０８と、この予熱部１０８で加熱された混合気体に点火する着火部１０９とこの混合気体を触媒燃焼させる触媒燃焼部１１０と、この触媒燃焼部１１０での温度変化を検知する検知部１１１とこの検知部１１１での検知に応じて前記ノズル１０４の弁部の開閉を制御してガスボンベ１０３からの燃料ガス供給量を制御する制御部１１２とが設けられている。
【０００５】
また、図示はしないが、下記特許文献２に記載された携帯用ヘアードライヤにおいては、ガスボンベをＬ字型本体のハンドル内部ではなく、温風発生部の下に平行に取り付けたものが示されている。
【０００６】
一方、下記特許文献３には、図７に示すように、本体ケース２０１は、前後方向に細長い円筒形状に形成され、その前端に吹出口２０２を、その後端に吹込口２０３およびコード２０４の引出部（図示省略）をそれぞれ形成し、また本体ケース２０１の内部には発熱装置２０５と送風装置２０６とを前後に並べて収納しており、吹出口２０２にはブラシ等のアタッチメント２０７が着脱可能に取り付けられたヘアードライヤ２００の構成が示されている。
【特許文献１】特開平５−１３７６１２号公報（段落［０００８］、図１）
【特許文献２】特開平５−１３７６１３号公報（段落［０００８］、図１）
【特許文献３】実開平５−７４４０５号公報（段落［０００７］、［０００８］、図２）
【発明の開示】
【発明が解決しようとする課題】
【０００７】
しかしながら、上記特許文献１及び特許文献２の携帯用ヘアードライヤにおいては、ハウジングがガスボンベからノズルまでの配管のために固定されたＬ字型の外形をなしているため大型になりかさばって携帯に不便であることや、またかさばるためにバッグに無理に押し込むとバッグが破損するおそれもある。またその操作においては、ハンドルを握って温風発生部の他端を頭部の所定部分に向けようとしても、ハンドルの部分の動きが温風発生部の他端では増幅されてなかなか狙いどおりにならず、取り扱いが簡単でなく、このため使い勝手がよくないという問題があった。
【０００８】
一方、上記特許文献３に記載されたヘアードライヤによれば、本体ケースが前後方向に細長い円筒形状に形成され、そのほぼ全長にわたってグリップの機能を兼ねているので、比較的小型で使い勝手がよいといえるが、携帯型のガス燃焼式ヘアードライヤの場合はガスボンベの保持部や電池収納部等を備える必要があるため、このような細長い筒状体に形成しても、結局大型でかさばり使い勝手が悪くなるという問題があった。
【０００９】
本願の発明者らは、前記の問題点を解決すべく種々検討を行った結果、ガスボンベの備え付け位置と吸気口の配置位置に着目し、前後方向に長い円形筒状をなしており、後端部近傍が拡径された外ケースを備える携帯型ヘアードライヤであって、前記携帯型ヘアードライヤは、前記外ケース内の前端側から順に混合・着火部、送風部、点火部及び電池収納部を備えており、前記点火部の後方には前記外ケースの後部カバーが設けられ、前記後部カバーには吸気口とガスボンベを挿着するための開口部が隣接して形成されることで無駄なスペースを省略できることを見出し、本発明を完成するに至ったものである。
【００１０】
すなわち本発明は、省スペース設計で持ち運びが容易な使い勝手のよい携帯型ヘアードライヤを提供することを目的とするものである。
【課題を解決するための手段】
【００１１】
前記課題を解決するために、請求項１に係る携帯型ヘアードライヤの発明は、前後方向に長い円形筒状をなしており、後端部近傍が拡径された外ケースを備える携帯型ヘアードライヤであって、前記携帯型ヘアードライヤは、前記外ケース内の前端側から順に混合・着火部、送風部、点火部及び電池収納部を備えており、前記点火部の後方には前記外ケースの後部カバーが設けられ、前記後部カバーには吸気口とガスボンベを挿着するための開口部が隣接して形成されていることを特徴とする。
【００１２】
請求項２の発明は、請求項１に記載の携帯型ヘアードライヤに係り、前記吸気口は、複数の孔からなり、前記後部カバー上に前記開口部の開口縁に沿って三日月状に形成されていることを特徴とする。
【００１４】
請求項３の発明は、請求項１に記載の携帯型ヘアードライヤに係り、前記吸気口は、複数の孔からなり、前記後部カバー上に前記開口部の開口縁に沿って二つの対向する三日月状に形成されていることを特徴とする。
【発明の効果】
【００１８】
本発明によれば、省スペース設計で持ち運びが容易な使い勝手のよい携帯型ヘアードライヤが提供できる。すなわち、従来のヘアードライヤはＬ字型であるため、折りたたんだ際にも持ち手部分と温風の噴出部分との間に無駄なスペースができ、結果大型になりがちであったが、本発明ではＬ字型ではなく、持ち手部分と温風の噴出部分が一体となっているため、無駄なスペースができることなく、以って全体として小型化が実現できる。また、吸気口は点火部の後方の後部カバーに、ガスボンベを挿着するための開口部と隣接して形成されているので、スペースを有効活用することで省スペース化を図ることができる。更に、前記吸気口は、複数の孔からなり、前記後部カバー上に前記開口部の開口縁に沿って所定形状に形成されているため、吸気部分の面積が広く、効率的な吸気が可能となる。
【発明を実施するための最良の形態】
【００２３】
以下、図面を参照して、本発明の最良の実施形態を説明する。ただし、以下に示す実施形態は、本発明の技術思想を具体化するための携帯型ヘアードライヤを例示するものであって、本発明をこの携帯型ヘアードライヤに特定することを意図するものではなく、特許請求の範囲に含まれるその他の実施形態のものにも等しく適用し得るものである。
【実施例】
【００２４】
図１は、本発明に係る携帯型ヘアードライヤの内部配置の概要を説明するための一実施態様を示し、図１（ａ）は内部構成の一部を透視した正面図、図１（ｂ）はガスボンベ側から見た側面図、図１（ｃ）は図１（ａ）のＡ−Ａ断面図、図１（ｄ）は図１（ａ）のＢ−Ｂ断面図、図１（ｅ）は図１（ａ）のＣ−Ｃ断面図である。図２は、携帯型ヘアードライヤの内部配置の概要を説明する図１（ａ）をＸ方向から見た図であり、図２（ａ）は内部構成の一部を透視した正面図、図２（ｂ）は図２（ａ）のＤ−Ｄ断面図である。図３〜図５は、本発明に係る携帯型ヘアードライヤの別の態様に係る内部配置の概要を説明する図である。
【００２５】
まず、本発明に係る携帯型ヘアードライヤの基本的構成を説明する。本発明に係る携帯型ヘアードライヤ１は、図１（ａ）〜図１（ｅ）に示すように、外ケース１０が前後方向に長い円形筒状をなし、外ケース１０の内部には混合・着火部１１、送風部１２、点火部１３、電池収納部１４を備えている。
【００２６】
外ケース１０は耐熱性の成型品やステンレス・スチールなどにより構成され、図１（ａ）及び図１（ｂ）に示すように横断面の輪郭が略楕円形である。また、外ケース１０の縦断面の基本形体は前後方向に長い円筒状であるが、後端部近傍が拡径された外ケース１０の側面にはスライドつまみ１８の一部が僅かに出ているだけで、全体として滑らかな形態をしている。なお、外ケース１０の横断面はここでは楕円形状としたが、正円形状に形成してもよい。
【００２７】
混合・着火部１１は外ケース１０の前部に配置され、混合・着火部１１の前方で外ケース１０の前端開口部には外部に熱風を吹き出す吐風口（図示省略）が形成され、先端にはブラシアタッチメント１５が着脱自在に設けられている。送風部１２は混合・着火部１１の後方で外ケース１０の中央部に配置されており、図１（ｃ）に示すように点火部１３と電池収納部１４は並んで送風部１２の後方で外ケース１０の後部に配置されている。
【００２８】
この点火部１３の後方には、外ケース１０の後部カバー１０ａが設けられ、後部カバー１０ａには吸気口１６とガスボンベを挿着するための開口部１０ｂが隣接して形成されている。この後部カバー１０ａは、電池収納部１４の蓋にもなっている。この吸気口１６は複数の孔１６’からなり、後部カバー１０ａ上に開口部１０ｂの開口縁に沿って三日月状に形成されている。前記開口部１０ｂには、プロパン、ブタンなどの燃料ガスを充填したガスボンベ１７が着脱自在に挿着されており、点火部１３と電池収納部１４付近の外ケース１０の側壁面には、後述の圧電ユニット（図示省略）に高電圧を発生させるためのスライドつまみ１８が設けられている。
【００２９】
この吸気口１６の形状は、図３（ａ）〜図３（ｃ）に示すように、正円形状の後部カバー１０ａ上に開口部１０ｂの開口縁に沿って円形リング状に形成したり、図４（ａ）〜図４（ｃ）に示すように、正円形状の横断面を有する後部カバー１０ａ上に開口部１０ｂの開口縁に沿って三日月状に形成したり、図５（ａ）〜図５（ｃ）に示すように、楕円形状の後部カバー１０ａ上に開口部１０ｂの開口縁に沿って二つの対向する三日月状に形成したりすることもできる。
【００３０】
混合・着火部１１は、予熱フィン１９と、支持体２０と、ノズル２１と、予熱部で混合気体に点火する着火手段（図示省略）と、予熱部によって加熱された混合気体を燃焼させるバーナーや燃焼部などのガス燃焼室が構成する熱源（図示省略）と、を備えている。燃焼部としては多孔質のコーディエライトやアルミナなどのセラミックスや金属板等の担体が用いられる。ノズル２１はガスボンベ１７からバルブ２２を介したガス供給路（図示省略）の中継パイプの出口に位置している。
【００３１】
送風部１２は風を送るファンモータ２３とファン２４とにより構成される。風は吸気口１６から取り入れ、ファンの２４の回転により吐風口へ空気を供給することとなる。
【００３２】
点火部１３は、電池収納部１４に装着された電池とマイクロスイッチ（図示省略）を含むファン２４の回転制御用電気回路、ガスボンベ１７からの燃料ガス供給量を制御するバルブ２２、バルブ２２の開閉弁を開閉するソレノイド２６、火花放電用の圧電ユニット（図示省略）及び点火プラグ（図示省略）を備えている。放電電極として用いられる圧電ユニットは、機械的な圧力を加えてスパークを発生させる圧電素子や、電子的に高電圧を生成させてスパークを発生させる電気回路組立体等を使用し得る。この圧電ユニットの周縁には、樹脂モールドを被覆させて周囲との絶縁状態を維持させることもできる。放電電極のもう一方の電極は、混合・着火部１１の外周部に設けられており、圧電ユニットと電線により接続されている。なお、図１及び図２においては、ガスボンベ１７、バルブ２２、混合・着火部１１のノズル２１、の相互間の配管や電線の接続は図示を省略してある。
【００３３】
次に、本発明に係る携帯型ヘアードライヤの動作を説明する。
【００３４】
スライドつまみ１８をスライドさせてＯＦＦ状態からＯＮ状態にすると、ファンモータ２３が作動し、ファン２４が回転する。また、ソレノイド２６がガス供給路の開閉弁を開放して、ガスボンベ１７からバルブ２２を介して燃料ガスがノズル２１に送られる。さらに、点火部１３では圧電ユニットが圧迫され、高電圧が発生し、放電着火が行われる。
【００３５】
バルブ２２は、ガスボンベ１７のガスが供給される混合・着火部１１のノズル２１につながる中継パイプの途中に位置している。バルブ２２は、ソレノイド２６によりその弁の開閉を制御してガスボンベ１７からの燃料ガス供給量を制御する。この制御は、例えば、バルブ２２の後端部に形成された制御弁の絞り口の開口面積がソレノイド２６の駆動により増大することでガスの供給が増加するものである。また、中継パイプの先端に設けたノズル２１は、ガスボンベ１７内の気化されたガスを混合・着火部１１の混合部に噴射させる。
【００３６】
混合・着火部１１の予熱部は燃焼を促進するために、混合気体を所定の温度にまで加熱する部分であり、燃焼部の外周を覆うとともに一端が混合部まで延設された予熱フィン１９と熱源の出口を覆う通気性のある遮熱板（図示省略）とで構成されている。混合され予熱したガスは、圧電ユニットの加圧放電により着火、燃焼される。
【００３７】
燃焼した気体が、混合・着火部１１の後方に設けられた送風部１２からの送風により吐風口から吹き出し、ブラシアタッチメント１５を介して熱風が供給される。
【図面の簡単な説明】
【００３８】
【図１】図１は、本発明に係る携帯型ヘアードライヤの内部配置の概要を説明するための一実施態様を示し、図１（ａ）は内部構成の一部を透視した正面図、図１（ｂ）はガスボンベ側から見た側面図、図１（ｃ）は図１（ａ）のＡ−Ａ断面図、図１（ｄ）は図１（ａ）のＢ−Ｂ断面図、図１（ｅ）は図１（ａ）のＣ−Ｃ断面図である。
【図２】図２は、携帯型ヘアードライヤの内部配置の概要を説明する、図１（ａ）をＸ方向から見た図であり、図２（ａ）は内部構成の一部を透視した正面図、図２（ｂ）は図２（ａ）のＤ−Ｄ断面図である。
【図３】図３は、本発明に係る携帯型ヘアードライヤの別の態様に係る内部配置の概要を説明する図であり、図３（ａ）は正面図、図３（ｂ）は他の側面図、図３（ｃ）はガスボンベ側から見た側面図である。
【図４】図４は、本発明に係る携帯型ヘアードライヤの別の態様に係る内部配置の概要を説明する図であり、図４（ａ）は正面図、図４（ｂ）は他の側面図、図４（ｃ）はガスボンベ側から見た側面図である。
【図５】図５は、本発明に係る携帯型ヘアードライヤの別の態様に係る内部配置の概要を説明する図であり、図５（ａ）は正面図、図５（ｂ）は他の側面図、図５（ｃ）はガスボンベ側から見た側面図である。
【図６】図６は、従来の携帯型ヘアードライヤの構成を示す断面図。
【図７】図７は、従来のヘアードライヤの構成を示す断面図。
【符号の説明】
【００３９】
１        携帯型ヘアードライヤ
１０        外ケース
１０ａ      後部カバー
１０ｂ      開口部
１１        混合・着火部
１２        送風部
１３        点火部
１４        電池収納部
１５        ブラシアタッチメント
１６        吸気口
１６’      孔
１７        ガスボンベ
１８        スライドつまみ
１９        予熱フィン
２０        支持体
２１        ノズル
２２        バルブ
２３        ファンモータ
２４        ファン
２６        ソレノイド
【図１】
0004511430.tif 000002
【図２】
0004511430.tif 000003
【図３】
0004511430.tif 000004
【図４】
0004511430.tif 000005
【図５】
0004511430.tif 000006
【図６】
0004511430.tif 000007
【図７】
0004511430.tif 000008